(57)【要約】【課題】  本発明は補強効果や耐震効果が向上し、かつ安価で容易に製造することができる空調用ダクトを得るにある。【解決手段】  角筒状のダクト本体と、このダクト本体の両端部にフランジ部を設けた空調用ダクトにおいて、前記ダクト本体を軸心方向と直角方向に４ｍｍの範囲で凹凸となるデッキリブとで空調用ダクトを構成している。【選択図】  図１
2010175137.tif 000002
【特許請求の範囲】
【請求項１】
四角筒状のダクト本体と、このダクト本体の両端部にフランジ部を設けた空調用ダクトにおいて、前記ダクト本体を軸心方向と直角方向に４ｍｍの範囲で凹凸となるデッキリブを形成したことを特徴とする空調用ダクト。
【請求項２】
ダクト本体のデッキリブの凹凸の接続部は４ｍｍの間隔で形成されるとともに、凸部の幅寸法は４５ｍｍ、凹部の幅寸法は４７ｍｍであることを特徴とする請求項１記載の空調用ダクト。
【請求項３】
ダクト本体はＬ字状に形成されたダクト本体部材を、両端部をボタンパンチスナップはぜで固定したものであることを特徴とする請求項１記載の空調用ダクト。
【発明の詳細な説明】
【技術分野】
【０００１】
本発明は主に建築物の内部において、空調、冷暖房、排煙等のために設置される空調用ダクトに関する。
【背景技術】
【０００２】
従来、空調用ダクトは補強効果や耐震効果の向上を図るため、筒型ダクトの構成面に菱形格子リブを形成することが考えられている。
【０００３】
しかしながら、菱形格子リブを形成したダクトは、各辺を形成するダクト部材毎に菱形格子リブを形成する加工をしなければならず、大変な作業となり、コスト高になるという欠点があった。
【先行技術文献】
【特許文献】
【０００４】
【特許文献１】特開２００１−２４１７４４
【発明の概要】
【発明が解決しようとする課題】
【０００５】
本発明は以上のような従来の欠点に鑑み、補強効果や耐震効果が向上し、かつ安価で容易に製造することができる空調用ダクトを提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は四角筒状のダクト本体と、このダクト本体の両端部にフランジ部を設けた空調用ダクトにおいて、前記ダクト本体を軸心方向と直角方向に４ｍｍの範囲で凹凸となるデッキリブを形成して空調用ダクトを構成している。
【発明の効果】
【０００８】
以上の説明から明らかなように、本発明にあっては次に列挙する効果が得られる。
【０００９】
（１）四角筒状のダクト本体と、このダクト本体の両端部にフランジ部を設けた空調用ダクトにおいて、前記ダクト本体を軸心方向と直角方向に４ｍｍの範囲で凹凸となるデッキリブを形成したので、ダクト本体に形成されたデッキリブによって、ダクト本体の軸心方向の強度を向上させるとともに、耐震効果を向上させることができる。
【００１０】
（２）前記（１）によって、ダクト本体にデッキリブを形成するだけでよいので、加工が容易で、コストの低減を図ることができる。
【００１１】
（３）前記（１）によって、ダクト本体はデッキリブで軸心方向の強度の補強を受け持ち、軸心方向と直角方向の強度は両端部のフランジ部で受け持つことができ、十分な軸心方向と、軸心方向と直角方向の強度が得られる。
【００１２】
（４）請求項２は前記（１）〜（３）と同様な効果が得られるとともに、内壁面にゴミが付着しづらく、軸心方向の強度が得られる最適なデッキリブの形状にできる。
【００１３】
（５）請求項３は前記（１）〜（３）と同様な効果が得られるとともに、ダクト本体をＬ字状に形成したダクト本体部材を２個用いるだけで形成することができる。
したがって、コストの低減を図ることができる。
【図面の簡単な説明】
【００１４】
【図１】本発明を実施するための最良の第１の形態の使用状態の説明図。
【図２】図１の２−２線に沿う拡大断面図。
【図３】図１の３−３線に沿う拡大断面図。
【図４】本発明を実施するための第１の形態の平面図。
【図５】本発明を実施するための第１の形態の正面図。
【図６】本発明を実施するための第１の形態の側面図。
【図７】図４の７−７線に沿う断面図。
【図８】本発明を実施するための第２の形態の平面図。
【図９】本発明を実施するための第２の形態の側面図。
【図１０】図８の１０−１０線に沿う断面図。
【図１１】本発明を実施するための第３の形態の平面図。
【図１２】本発明を実施するための第３の形態の側面図。
【図１３】図１１の１３−１３線に沿う断面図。
【発明を実施するための形態】
【００１５】
以下、図面に示す本発明を実施するための形態により、本発明を詳細に説明する。
【００１６】
図１ないし図７に示す本発明を実施するための第１の形態において、１は両端部にガスケット２、２を介して接続して使用される本発明の四角筒状の空調用ダクトで、この空調用ダクト１は四角筒状のダクト本体３と、このダクト本体３の両端部に設けられたフランジ部４、４とで構成されている。
【００１７】
前記ダクト本体３は軸心方向と直角方向に４ｍｍの範囲で凸部５の幅寸法が約４５ｍｍ、凹部６の幅寸法が約４７ｍｍのデッキリブ７が形成された、Ｌ字状に形成されたダクト本体部材８、８と、このダクト本体部材８、８の両端部に形成されたボタンパンチスナップ９、１０で固定するためのはぜ１１、１１、１１、１１とで構成されている。
【００１８】
前記フランジ部４、４は前記ダクト本体３の両端部を外方へ突出するように折り曲げたフランジ部材１２、１２、１２、１２と、このフランジ部材１２、１２、１２、１２の端部にカシメ固定されたボルト孔１３を有するコーナーピース１４、１４、１４、１４とで構成されている。
【００１９】
このように構成された空調用ダクト１は複数個、フランジ部４、４間にガスケット２を介装し、コーナーピース１４、１４、１４、１４、１４、１４、１４、１４のボルト孔１３、１３、１３、１３、１３、１３、１３、１３にボルト１５、１５、１５、１５を挿入し、ナット１６、１６、１６、１６を螺合させて締付けることにより、密封状態で接続することができる。
このようにして接続された空調用ダクト１は、ところどころ吊り下げ金具１７を用いて天井躯体１８より吊り下げられて使用される。
なお、空調用ダクト１のダクト本体３の軸心方向と直角方向が凹凸となるデッキリブ７によって、軸心方向の強度が強くなるので、従来と同じ板厚の亜鉛鈑板等の金属板を用いた場合、強度の増強を図ることができ、従来と同じ強度でよい場合には薄い金属板を用いて、コストの低減を図ることができる。
また、ダクト本体３の軸心方向と直角方向の強度は、両端部のフランジ部４、４が四角筒状となっているため、ダクト本体３の形状に関係なく、十分な強度を保つことができる。  
[発明を実施するための異なる形態]
【００２０】
次に、図８ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図８ないし図１０に示す本発明を実施するための第２の形態において、前記本発明を実施するための第１の形態と主に異なる点は、デッキリブ７が形成されたダクト本体３の両端部に小さなフランジ部材１２Ａ、１２Ａ、１２Ａ、１２Ａを形成し、該部位にアングルフランジ１９、１９を多数個のリベット２０で固定したフランジ部４Ａ、４Ａを形成した点で、このようなフランジ部４Ａ、４Ａを用いた空調用ダクト１Ａにしても、前記本発明を実施するための第１の形態と同様な作用効果が得られる。
【００２２】
図１１ないし図１３に示す本発明を実施するための第３の形態において、前記本発明を実施するための第１の形態と主に異なる点は、デッキリブ７が形成されたダクト本体３の両端部にコーナーピース１４Ａ、１４Ａ、１４Ａ、１４Ａを用いたサッシュオンフランジ２１、２１を固定したフランジ部４Ｂ、４Ｂを使用した点で、このようなフランジ部４Ｂ、４Ｂを用いて構成した空調用ダクト１Ｂにしても、前記本発明を実施するための第１の形態と同様な作用効果が得られる。
【００２３】
なお、前記本発明を実施するための各形態ではＬ字状に加工されたデッキリブ７が形成されたダクト本体部材８、８を２個用いてダクト本体３を形成するものについて説明したが、本発明はこれに限らず、デッキリブ７が形成された上下左右のダクト本体部材を形成し、これらの端部をボタンパンチスナップはぜやピッツバーグはぜ等で固定したものを用いてもよい。
また、長方形筒状の空調用ダクトにも同様に実施することができる。
【産業上の利用可能性】
【００２４】
本発明は空調用ダクトを製造する産業で利用される。
【符号の説明】
【００２５】
１、１Ａ、１Ｂ：空調用ダクト、２：ガスケット、
３：ダクト本体、              ４、４Ａ、４Ｂ：フランジ部、
５：凸部、                    ６：凹部、
７：デッキリブ、              ８：ダクト本体部材、
９、１０：ボタンパンチスナップ、
１１：はぜ、                  １２、１２Ａ：フランジ部材、
１３：ボルト孔、              １４、１４Ａ：コーナーピース、
１５：ボルト、                １６：ナット、
１７：吊り下げ金具、          １８：天井躯体、
１９：アングルフランジ、      ２０：リベット、
２１：サッシュオンフランジ。
【図１】
2010175137.tif 000003
【図２】
2010175137.tif 000004
【図３】
2010175137.tif 000005
【図４】
2010175137.tif 000006
【図５】
2010175137.tif 000007
【図６】
2010175137.tif 000008
【図７】
2010175137.tif 000009
【図８】
2010175137.tif 000010
【図９】
2010175137.tif 000011
【図１０】
2010175137.tif 000012
【図１１】
2010175137.tif 000013
【図１２】
2010175137.tif 000014
【図１３】
2010175137.tif 000015